(57)【要約】【課題】室外機が無くても、室内の冷房又は暖房を行うことができる空気調和機を提供する。【解決手段】空気調和機は筐体、送風通路、送風機、冷媒循環回路、切替装置、及び蓄熱体を備える。筐体には吸気口及び吹出口が開口する。また、送風通路は吸気口と吹出口とを連結して筐体内に形成される。送風機は送風通路内に配される。冷媒循環回路は圧縮機と第２熱交換器と第１熱交換器とを有する。また、冷媒循環回路では第２熱交換器及び第１熱交換器の一方が吸熱して他方が放熱する。切替装置は冷媒循環回路の冷媒の流通方向を切り替える。蓄熱体は筐体内に着脱可能に配されるとともに温熱または冷熱を蓄熱する。送風通路を流通する気流が第１熱交換器と熱交換して吹出口から送出されるとともに、蓄熱体が第２熱交換器と熱交換して蓄熱する。【選択図】図１
2016075414.tif 000002
【特許請求の範囲】
【請求項１】
吸気口及び吹出口が開口する筐体と、
前記吸気口と前記吹出口とを連結して前記筐体内に形成される送風通路と、
前記送風通路内に配される送風機と、
圧縮機と第１熱交換器と第２熱交換器とを有して第１熱交換器及び第２熱交換器の一方が吸熱して他方が放熱する冷媒循環回路と、
前記冷媒循環回路の冷媒の流通方向を切り替える切替装置と、
前記筐体内に着脱可能に配されるとともに温熱又は冷熱を蓄熱する蓄熱体と、
を備え、
前記送風通路を流通する気流が第１熱交換器と熱交換して前記吹出口から送出されるとともに、前記蓄熱体が第２熱交換器と熱交換して蓄熱する空気調和機。
【請求項２】
前記筐体が、前記冷媒循環回路及び前記蓄熱体を収納する第１収納部と、前記送風機を収納する着脱可能な第２収納部と、を有し、
第２収納部を第１収納部から取り外すと、第１熱交換器が第１収納部から露出する請求項１に記載の空気調和機。
【請求項３】
前記蓄熱体は、温熱又は冷熱を蓄熱する蓄熱材と、前記蓄熱材が封入された容器と、前記容器内に設けられる熱伝導性の伝熱部材と、を有し、
前記伝熱部材の一部は熱伝導可能に前記蓄熱材と接して前記伝熱部材の他の一部は前記容器の表面に露出し、
前記伝熱部材と熱伝導可能に接続される熱交換接続部が第２熱交換器に形成される請求項１又は請求項２に記載の空気調和機。
【請求項４】
前記蓄熱体に近接して配置される配管をさらに備え、
前記筐体に供給口及び排出口が形成され、
前記配管の一端は前記供給口に接続され、他端は前記排出口に接続される請求項１〜請求項３のいずれかに記載の空気調和機。
【請求項５】
前記蓄熱体は該蓄熱体の温度を検出する温度検出部を有する請求項１〜請求項４のいずれかに記載の空気調和機。
【発明の詳細な説明】
【技術分野】
【０００１】
本発明は、室内の床面などに設置される可搬型の空気調和機に関する。
【背景技術】
【０００２】
従来、室外機を備える空気調和機が知られている。この空気調和機では、室内機から送出される冷風又は温風によって室内が冷房又は暖房される。また、冷房運転の際に発生する温熱又は暖房運転の際に発生する冷熱は室外機から室外に放出される。たとえば、室内を冷房する場合、室内に設置される室内機では室内の空気が冷却され、室外機では冷房運転で発生する温熱が外部に排出される。また、室内を暖房する場合、室内機では室内の空気が暖められ、室外機では暖房運転で発生する冷熱が外部に排出される。このような空気調和機の室内機及び室外機は定位置に設置される。
【０００３】
一方、室外機を備えていない可搬型の空気調和機も知られている。たとえば特許文献１は、第１熱交換器及び第２熱交換器を有する熱交換サイクルを本体筐体内に備える空気調和機を開示している。この空気調和機は、第１熱交換器と空気とを熱交換して室内に冷風又は温風を送出する。
【先行技術文献】
【特許文献】
【０００４】
【特許文献１】特開２０００−３２０８６０号公報
【特許文献２】特開２００１−１８２９７２号公報
【発明の概要】
【発明が解決しようとする課題】
【０００５】
しかしながら、特許文献１のように室外機を備えていない空気調和機を冷風送出運転する場合、第２熱交換器での熱交換によって温熱が室内に放出される。従って、室内の熱収支はほぼ０となるため、室内温度を下げることはできない。同様に、温風送出運転する場合、第２熱交換器での熱交換によって冷熱が室内に放出される。従って、室内の熱収支がほぼ０となるため、室内温度を上げることはできない。このように、室外機を備えていない従来の空気調和機では室内の冷房及び暖房を行うことができないため、利便性が悪いという問題があった。
【０００６】
本発明は、上記の状況に鑑み、室外機が無くても、室内の冷房又は暖房を行うことができる空気調和機を提供することを目的とする。
【課題を解決するための手段】
【０００７】
上記目的を達成するために本発明の一の態様に係る空気調和機は、吸気口及び吹出口が開口する筐体と、吸気口と吹出口とを連結して筐体内に形成される送風通路と、送風通路内に配される送風機と、圧縮機と第１熱交換器と第２熱交換器とを有して第１熱交換器及び第２熱交換器の一方が吸熱して他方が放熱する冷媒循環回路と、冷媒循環回路の冷媒の流通方向を切り替える切替装置と、筐体内に着脱可能に配されるとともに温熱または冷熱を蓄熱する蓄熱体と、を備え、送風通路を流通する気流が第１熱交換器と熱交換して吹出口から送出されるとともに、蓄熱体が第２熱交換器と熱交換して蓄熱する構成とされる。
【０００８】
上記の空気調和機において、筐体が、冷媒循環回路及び蓄熱体を収納する第１収納部と、送風機を収納する着脱可能な第２収納部と、を有し、第２収納部を第１収納部から取り外すと、第１熱交換器が第１収納部から露出する構成としてもよい。
【０００９】
上記の空気調和機において、蓄熱体は、温熱又は冷熱を蓄熱する蓄熱材と、蓄熱材が封入された容器と、容器内に設けられる熱伝導性の伝熱部材と、を有し、伝熱部材の一部は熱伝導可能に蓄熱材と接して伝熱部材の他の一部は容器の表面に露出し、伝熱部材と熱伝導可能に接続される熱交換接続部が第２熱交換器に形成される構成としてもよい。
【００１０】
上記の空気調和機において、第１熱交換器は、冷媒が流れる冷媒管から成り、第１収納部の上端部から側方に突出する突出部と、該突出部から下方に屈曲する屈曲部と、を有する構成としてもよい。
【００１１】
上記の空気調和機は、蓄熱体に近接して配置される配管をさらに備え、筐体に供給口及び排出口が形成され、配管の一端は供給口に接続され、他端は排出口に接続される構成としてもよい。
【００１２】
上記の空気調和機において、蓄熱体は該蓄熱体の温度を検出する温度検出部を有する構成としてもよい。
【００１３】
上記の空気調和機において、蓄熱体はパラフィンを含む構成としてもよい。
【００１４】
上記成の空気調和機において、蓄熱体は断熱構造の収納室に収納される構成としてもよい。
【００１５】
上記の空気調和機において、筐体は室内の床面に敷設されて重量物が載置される扁平形状の載置部を有する構成としてもよい。
【００１６】
上記の空気調和機において、載置部の前面に蓄熱体の着脱口が開口する構成としてもよい。或いは、筐体は載置部の後端部から立設される立設部をさらに有し、立設部の上面に蓄熱体の着脱口が開口する構成としてもよい。
【００１７】
上記の空気調和機において、吸気口が少なくとも載置部の背面に開口するとともに吹出口が載置部の前面に開口し、送風通路が載置部内に形成され、吸気口から流入して第１熱交換器と熱交換する気流が送風通路を直線的に流通して吹出口から送出される構成としてもよい。
【００１８】
上記の空気調和機において、前記送風機を停止させた状態で前記空気調和機を運転する場合、第１熱交換器と熱交換する流体が自然対流により前記筐体の外部に流出する構成としてもよい。
【００１９】
上記の空気調和機において、筐体の底部に形成されるとともに第１熱交換器が配される吸気室と、吸気室の上方に形成されて断熱材により覆われた密閉空間から成るとともに第２熱交換器及び蓄熱体が配される第１収納室と、第１収納室の上方に形成されて圧縮機が配される第２収納室と、を有し、第２収納室の上方にて筐体に吹出口が開口し、送風通路が第１収納室を貫通して形成され、吸気室の下部に吸気口が開口し、吸気室の上部において第１熱交換器に対して吸気口とは反対側に開閉可能な窓部が開口する構成としてもよい。
【発明の効果】
【００２０】
本発明によると、室外機が無くても、室内の冷房又は暖房を行うことができる空気調和機を提供することができる。
【図面の簡単な説明】
【００２１】
【図１】第１実施形態に係る空気調和機の透視斜視図である。
【図２】第１実施形態に係る空気調和機の断面図である。
【図３】空気調和機の熱交換サイクルを示す図である。
【図４】第１実施形態に係る空気調和機において第１収納部から第２収納部を取り外した図である。
【図５】第１実施形態に係る空気調和機の応用例を示す図である。
【図６】蓄熱カートリッジの一例を示す透視斜視図である。
【図７】第２実施形態に係る空気調和機の外観斜視図である。
【図８】第２実施形態に係る空気調和機の上面図である。
【図９】第２実施形態に係る空気調和機の正面図である。
【図１０】第２実施形態に係る空気調和機の断面図である。
【図１１】第２実施形態に係る空気調和機の他の一例を示す外観斜視図である。
【図１２】第２実施形態に係る空気調和機の他の一例を示す断面図である。
【図１３】第３実施形態に係る空気調和機の外観斜視図である。
【図１４】第３実施形態に係る空気調和機の縦断面図である。
【図１５】第３実施形態に係る空気調和機の応用例を示す図である。
【発明を実施するための形態】
【００２２】
以下に本発明の実施形態を図面を参照して説明する。
【００２３】
＜第１実施形態＞
図１は第１実施形態に係る空気調和機１００の透視斜視図である。また、図２は第１実施形態に係る空気調和機１００の断面図である。なお、図１及び図２では空気調和機１００の幅の方向をＸ方向とし、奥行きの方向をＹ方向としている。また、鉛直方向をＺ方向としている。なお、これらは後述する他の図面でも同様である。
【００２４】
空気調和機１００は室内の床面などに設置される可搬性を有する機器である。空気調和機１００には熱交換サイクル１、ファン２、蓄熱カートリッジ３、導水部４、及び送水ポンプ５が筐体６に設けられる。
【００２５】
図３は空気調和機１００の熱交換サイクル１を示す図である。図３に示すように、熱交換サイクル１は圧縮機１１、四方弁１２、第１熱交換器１３、膨張器１４、及び第２熱交換器１５が冷媒管１６で接続されて成る冷媒循環回路である。熱交換サイクル１では、圧縮機１１、四方弁１２、第１及び第２熱交換器１３、１５のうちの一方、膨張器１４、及び、第１及び第２熱交換器１３、１５のうちの他方の順に冷媒が流れる。そして、第１熱交換器１３及び第２熱交換器１５の一方が吸熱して他方が放熱する。
【００２６】
圧縮機１１は冷媒管１６内を流れる冷媒を循環させて熱交換サイクル１を運転する。圧縮機１１は四方弁１２を介して第１熱交換器１３及び第２熱交換器１５の各一端に冷媒管１６により接続される。第１熱交換器１３及び第２熱交換器１５の他端は膨張器１４を介して冷媒管１６により互いに接続される。
【００２７】
第１熱交換器１３及び第２熱交換器１５はたとえば繰り返しＳ字状に屈曲されて並列に配置される一部の冷媒管１６から成る。第１熱交換器１３は冷媒管１６間を通過する流体と熱交換を行う。たとえば第１熱交換器１３は空気などの気体が冷媒管１６間を通過する場合にはその気流と熱交換を行い、水などの液体が冷媒管１６間を通過する場合にはその液流と熱交換を行う。第２熱交換器１５は温熱又は冷熱を蓄熱可能な防水構造の蓄熱カートリッジ３に近接配置され、該蓄熱カートリッジ３と熱交換を行う。この蓄熱カートリッジ３は温熱または冷熱を蓄熱する蓄熱体であり、筐体６に着脱可能に配される。なお、蓄熱カートリッジ３の更なる構成については後に詳述する。
【００２８】
また、空気調和機１００の筐体６には、吸気口６１と、吹出口６２と、吸気口６１及び吹出口６２を連通する送風通路６３とが形成される。送風通路６３内にはファン２及び第１熱交換器１３は配置される。ファン２の駆動によって筐体６の外部の空気が吸気口６１から送風通路６３に流入して第１熱交換器１３に供給され、送風通路６３を流通する気流（空気）と第１熱交換器１３との熱交換が促進される。第１熱交換器１３と熱交換した気流は吹出口６２から筐体６の外部に送出される。
【００２９】
なお、吸気口６１には縦方向及び／又は横方向に開閉可能な第１開閉蓋（不図示）が取り付けられ、吹出口６２には縦方向及び／又は横方向に開閉可能な第２開閉蓋（不図示）が取り付けられている。空気調和機１００の運転状態において第１開閉蓋は吸気口６１を開口し、気流の風向きを調整可能なフラップとして機能する。従って、ファン２を通常とは逆に回転駆動して送風通路６３内の気流を逆転させた場合、吸気口６１は風向き調整可能な吹出口として機能できる。また、運転状態において第２開閉蓋は吹出口６２を開口し、気流の風向きを調整可能なフラップとして機能する。
【００３０】
また、運転停止状態において第１開閉蓋が吸気口６１を閉口するとともに第２開閉蓋が吹出口６２を閉口する。そのため、運転停止状態では、外部から送風通路６３内への塵埃の侵入が防止される。
【００３１】
四方弁１２は冷媒管１６内を流れる冷媒の流通方向を切り替える切替装置である。空気調和機１００が暖房運転される場合には、四方弁１２が図３の実線で示すように切り替えられ、ファン２が駆動される。そして、圧縮機１１の駆動によって矢印Ａに示す方向に冷媒が流通し、圧縮機１１により圧縮された高温高圧の冷媒は第１熱交換器１３に放熱しながら凝縮する。高温の冷媒は膨張器１４で低温低圧となって第２熱交換器１５に送られる。第２熱交換器１５に流入する冷媒は蓄熱カートリッジ３から吸熱しながら蒸発して低温のガス冷媒となり、圧縮機１１に送られる。この際、第２熱交換器１５の冷熱は蓄熱カートリッジ３に蓄熱される。このような熱交換サイクル１により、熱交換サイクル１の高温部となる第１熱交換器１３と熱交換して暖められた空気がファン２により筐体６の外部に送出され、空気調和機１００が設置された室内の暖房が行われる。
【００３２】
また、空気調和が冷房運転される場合には、四方弁１２は図３の破線で示すように切り替えられ、ファン２が駆動される。そして、圧縮機１１の駆動によって冷媒管１６内の冷媒が矢印Ａとは逆方向に流通し、第１熱交換器１３が熱交換サイクル１の低温部となるとともに第２熱交換器１５が熱交換サイクル１の高温部となる。第１熱交換器１３と熱交換して冷却された空気がファン２により筐体６の外部に送出され、空気調和機１００が設置された室内の冷房が行われる。また、第２熱交換器１５の温熱は蓄熱カートリッジ３に蓄熱される。
【００３３】
なお、第１熱交換器１３及び第２熱交換器１５で冷却される空気に含まれる水蒸気の凝集によって発生する水（所謂ドレイン水）はたとえば脱着可能な貯水部（不図示）に排出されて貯蔵される。
【００３４】
また、蓄熱カートリッジ３の近傍には導水部４が設けられる。導水部４は蓄熱カートリッジ３の周囲に配置される一部の配管４０（図１参照）から成り、他の一部の配管４０により送水ポンプ５と接続される。送水ポンプ５は筐体６に設けられた給水口６４及び排水口６５と接続され、給水口６４から流入する水を配管４０内に送出して導水部４に供給可能となっている。
【００３５】
導水部４は水が供給された場合に蓄熱カートリッジ３と熱交換可能である。たとえば、蓄熱カートリッジ３は導水部４内を流れる水よりも高温であれば、導水部４に放熱できる。従って、蓄熱カートリッジ３が導水部４と熱交換すれば、排水口６５から温水を得ることができる。また、蓄熱カートリッジ３の温度が過度に上昇してその蓄熱効率が低下している場合には、導水部４内を流通する水の吸熱により蓄熱カートリッジ３を冷却できる。従って、第２熱交換器１５の放温熱効果（放熱効率など）の低下を抑制又は防止したり、その放温熱効果を上昇させたりすることができる。
【００３６】
また、蓄熱カートリッジ３は導水部４内を流れる水よりも低温であれば、導水部４から吸熱できる。従って、蓄熱カートリッジ３が導水部４と熱交換すれば、排水口６５から冷水を得ることができる。また、蓄熱カートリッジ３の温度が過度に降下してその蓄冷効率が低下している場合には、導水部４内を流通する水の放熱により蓄熱カートリッジ３を温めることができる。従って、第２熱交換器１５の放冷熱効果（吸熱効率など）の低下を抑制又は防止したり、その放冷熱効果を上昇させたりすることができる。
【００３７】
なお、導水部４に水が供給されなくても供給空気調和機１００は運転可能である。この場合には送水ポンプ５は停止される。
【００３８】
次に、空気調和機１００の筐体６は防水構造を有する第１収納部６ａと該第１収納部６ａに着脱可能な第２収納部６ｂとから成る（図１及び図２参照）。
【００３９】
第１収納部６ａの上部には第１収納室８１が設けられ、下部には第２収納室８２が設けられている。第１収納室８１は第２熱交換器１５、蓄熱カートリッジ３、及び導水部４を収納する。また、第２収納室８２は圧縮機１１、四方弁１２、膨張器１４、送水ポンプ５、及び、電源回路及び制御回路などを含む様々な電気回路（不図示）を収納する。
【００４０】
第１収納室８１は第１収納部６ａの上面に形成されて開閉可能な蓋が取り付けられた着脱口６６を介して外部に連通する。そのため、蓄熱カートリッジ３は着脱口６６を介して空気調和機１００から脱着可能となっており、第２熱交換器１５に設けられた熱交換コネクタ１５ａを介して該第２熱交換器１５と熱交換可能に接続されている。
【００４１】
また、第１収納室８１はその内壁（すなわち上壁、底壁、及び４つの側壁）に設けられた断熱材７により断熱構造となっている。なお、図１では装置構成を見易くするために、一部の断熱材７（たとえば第１収納室８１の上壁及びＸ方向の側壁にそれぞれ設けられる断熱材７）の図示は省略している。
【００４２】
また、第１収納部６ａのＹ方向の側面には、突出部１３ａ及び屈曲部１３ｂから成る第１熱交換器１３が突設される。突出部１３ａは第１収納部６ａの上端部においてＹ方向の側面から側方（Ｙ方向）に突出する一部の冷媒管１６である。屈曲部１３ｂは突出部１３ａの先端から下方に屈曲する他の一部の冷媒管１６である。そのため、第１熱交換器１３は突出部１３ａ及び屈曲部１３ｂを壁などに掛止可能な形状となっている（たとえば後述する図５参照）。
【００４３】
また、第１収納部６ａの他の側面には、送水ポンプ５と接続される給水口６４及び排水口６５が設けられる。
【００４４】
次に、第２収納部６ｂについて説明する。第２収納部６ｂにはクロスフローファン２及びその駆動モータ（不図示）が取り付けられる。また、第２収納部６ｂの上面には吸気口６１が形成され、正面には吹出口６２が形成される。さらに、第２収納部６ｂの内部には、吸気口６１と吹出口６２とを連結する送風通路６３が形成される。この送風通路６３には第１熱交換器１３及びクロスフローファン２が配置される。空気調和機１００が冷房運転又は暖房運転される際、クロスフローファン２の回転駆動により吸気口６１から流入する空気は第１熱交換器１３で冷却又は加熱されて吹出口６２から送出される。
【００４５】
なお、空気調和機１００は第１収納部６ａから第２収納部６ｂを取り外した状態でも運転可能である。図４は第１実施形態に係る空気調和機１００において第１収納部６ａから第２収納部６ｂを取り外した図である。図５は第１実施形態に係る空気調和機１００の応用例を示す図である。
【００４６】
たとえば、図４のように第２収納部６ｂを取り外した空気調和機１００を突出部１３ａ及び屈曲部１３ｂにより浴槽Ｂの側壁に掛止した状態で水温を上昇させることができる。たとえば図５の状態で浴槽Ｂ内の水を沸かす場合、空気調和機１００を暖房運転すると、圧縮機１１により圧縮された高温の冷媒は第１熱交換器１３での熱交換により放熱する。従って、浴槽Ｂ内の水温を上昇させることができる。なお、浴槽Ｂ内の水温に応じて冷房運転又は暖房運転を適宜行うことにより、水温を調整することもできる。この際に発生する温熱又は冷熱は蓄熱カートリッジ３に蓄熱して他所で利用することができる。
【００４７】
また、空気調和機１００から第２収納部６ｂを取り外すと第１熱交換器１３が露出するが、第１熱交換器１３には従来の熱交換装置では通常具備されている薄い金属製のフィンなどは取り付けられていない。そのため、第２収納部６ｂを取り外す際、又は取り外した状態で空気調和機１００を使用する際、ユーザがフィンで怪我をすることがない。従って、第１熱交換器１３に保護部材などを取り付ける必要がないため、第１熱交換器１３の構造を簡素にできる。
【００４８】
次に、蓄熱カートリッジ３の構成例について説明する。図６は蓄熱カートリッジ３の一例を示す透視斜視図である。蓄熱カートリッジ３は蓄熱材３１が密閉容器３２内に封入された蓄熱体である。
【００４９】
なお、蓄熱カートリッジ３は空気調和機１００に対して着脱可能に設けられている。そのため、蓄熱カートリッジ３は蓄熱した温熱又は冷熱を他所で有効に利用することが可能となっている。たとえば、蓄熱カートリッジ３が温熱を蓄熱している場合、蓄熱カートリッジ３を風呂の浴槽などに張った水中に浸けてその水温を上昇させることができる。また、蓄熱カートリッジ３が冷熱を蓄熱している場合、蓄熱カートリッジ３をクーラーボックス（保冷庫）などに入れて保冷材のように使用したり、冷蔵庫に入れて補助冷蔵材として使用したりできる。こうすれば、様々な局面において蓄熱カートリッジ３に蓄熱された温熱又は冷熱を活用できるので、温度調節に必要な電力又は瓦斯などのエネルギー資源の消費を低減することができる。
【００５０】
また、予め冷却又は加温した蓄熱カートリッジ３を空気調和機１００に装着してその使用時間を延長させることもできる。たとえば、予め冷却しておけば、蓄熱カートリッジ３に蓄熱できる温熱の容量を増大させることができる。また、予め加温しておけば、蓄熱カートリッジ３に蓄熱できる冷熱の容量を増大させることができる。また、蓄熱カートリッジ３を予め冷却又は加温しておけば、電力消費がピークを迎える時間帯（夏期の昼間など）での電力消費を抑えることもできる。
【００５１】
蓄熱材３１は外部との温度差に応じて温熱又は冷熱を蓄熱する機能を有する。この蓄熱材３１には、たとえばパラフィンなどの潜熱蓄熱材料、顕熱蓄熱材料、化学蓄熱材料を用いることができる。なお、潜熱蓄熱材料は相転移などに伴う転移熱（潜熱）を利用して温熱又は冷熱を蓄熱する。また、顕熱蓄熱材料は比熱を利用して温熱又は冷熱を蓄熱し、化学蓄熱材料は化学反応（混合、水和など）の際に生じる吸熱又は発熱を利用して温熱又は冷熱を蓄熱する。本実施形態では、蓄熱材３１としてパラフィンを用いている。
【００５２】
密閉容器３２は温度変化に応じて色又は表面の模様などが変化する材料を用いて形成されている。こうすれば、ユーザは密閉容器３２の色又は模様から蓄熱カートリッジ３の蓄熱状態（たとえば蓄熱材３１の温度）を視認することができる。
【００５３】
また、蓄熱カートリッジ３には外部と蓄熱材３１との間の熱交換を促進させるための伝熱部材３３が設けられる。この伝熱部材３３はたとえば対向する２つの面間を貫通する板状、柱状又は筒状の伝熱部材３３ａ、３３ｂを含んで構成される。これらの伝熱部材３３はたとえば金属、セラミックなどの熱伝導性の良好な材料を用いて形成されている。また、密閉容器３２の下面には凹部３３ｃが形成されている。蓄熱カートリッジ３が筐体６に着装される際、第２熱交換器１５に設けられる熱交換コネクタ１５ａが凹部３３ｃに嵌合され、伝熱部材３３の少なくとも一部（たとえば伝熱部材３３ｂ）が熱交換コネクタ１５ａと熱伝導可能に接続される。
【００５４】
また、蓄熱カートリッジ３には温度センサ３４が設けられる。温度センサ３４は蓄熱材３１の温度を検出し、その検出結果を示す検出信号を空気調和機１００の制御部（不図示）に出力する。空気調和機１００はこの検出信号に基づく報知を行う。たとえば、空気調和機１００は検出信号に基づいて蓄熱カートリッジ３の検出温度を筐体６に設けられるディスプレイ（不図示）に表示する。また、空気調和機１００は検出温度が所定の上限閾値又は下限閾値を越えると、警告表示及び警告音の出力などの報知動作を行う。たとえば、空気調和機１００は検出温度が蓄熱カートリッジ３の蓄熱効率の低下が著しくなる上限温度以上になると、ユーザへの報知動作を行い、さらに装置の運転を停止する。また、空気調和機１００は検出温度が蓄熱カートリッジ３の蓄冷効率の低下が著しくなる下限温度以上になると、ユーザへの報知動作を行い、さらに装置の運転を停止する。或いは、導水部４に水などが供給されている場合には、空気調和機１００は自動で送水ポンプ５を駆動状態にして蓄熱カートリッジ３を冷却又は加温してもよい。
【００５５】
こうすれば、過度の熱交換による蓄熱カートリッジ３及び空気調和機１００の劣化、破損などを防止することができる。また、蓄熱カートリッジ３の蓄熱効率及び蓄冷効率の低下を抑制又は防止することによって、空気調和機１００の冷房効率又は暖房効率の低下も抑制又は防止できる。従って、蓄熱カートリッジ３の蓄熱状態に由来する空気調和機１００の消費電力の増大も防止することができる。
【００５６】
なお、室内に交換ロボット装置が設置されていれば、空気調和機１００は検出温度が所定の上限閾値又は下限閾値を越える場合に交換ロボット装置と通信して蓄熱カートリッジ３の自動交換動作の実行を指示してもよい。蓄熱カートリッジ３を自動交換させることによって、蓄熱カートリッジ３及び空気調和機１００の劣化、破損、空気調和機１００の電力消費の増大などを自動的に防止することができる。
【００５７】
本実施形態によると、空気調和機１００は吸気口６１及び吹出口６２が開口する筐体６と、吸気口６１と吹出口６２とを連結して筐体６内に形成される送風通路６３と、送風通路６３内に配される送風機２と、圧縮機１１と第１熱交換器１３と第２熱交換器１５とを有して第１熱交換器１３及び第２熱交換器１５の一方が吸熱して他方が放熱する冷媒循環回路１と、冷媒循環回路１の冷媒の流通方向を切り替える切替装置１２と、筐体６内に着脱可能に配されるとともに温熱または冷熱を蓄熱する蓄熱体３と、を備え、送風通路６３を流通する気流が第１熱交換器１３と熱交換して吹出口６２から送出されるとともに、蓄熱体３が第２熱交換器１５と熱交換して蓄熱する。
【００５８】
これにより、冷媒循環回路１では第１熱交換器１３及び第２熱交換器１５のうちの一方を流通する冷媒は低温となり、他方を流通する冷媒は高温となる。そのため、第１熱交換器１３と熱交換する気流（空気）は冷却又は加熱されて吹出口６２から室内に送出される。また、第２熱交換器１５で熱交換される温熱又は冷熱は蓄熱体３に蓄熱されるので、空気調和機１００が設置される室内には排出されない。従って、空気調和機１００は第２熱交換器１５で熱交換される温熱又は冷熱を室外に排出する室外機が無くても、室内の冷房又は暖房を行うことができる。
【００５９】
また、室外機が不要であるため、空気調和機１００の移動或いは設置場所の選択をより自由に行うことができる。さらに、蓄熱体３は筐体６内に着脱可能に配されるため、たとえば蓄熱体３を交換することにより温熱又は冷熱を蓄熱する効率の低下を抑制又は防止することができる。また、取り外した蓄熱体３に蓄熱された温熱又は冷熱を他所で有効に再利用することもできる。
【００６０】
また、空気調和機１００では、筐体６が、冷媒循環回路１及び蓄熱体３を収納する第１収納部６ａと、送風機２を収納する着脱可能な第２収納部６ｂと、を有し、第２収納部６ｂを第１収納部６ａから取り外すと、第１熱交換器１３が第１収納部６ａから露出する。
【００６１】
これにより、第１収納部６ａから露出する第１熱交換器１３を空気以外の物体と接触させて熱交換させることができる。たとえば、第１熱交換器１３を水中に付けることも可能となるので、空気調和機１００を暖房運転することにより水温を上げて湯を沸かすことができる。また、冷房運転により水温を下げることもできるので、水温を一定に保つなどの水温調節も可能である。
【００６２】
また、空気調和機１００では、蓄熱体３は、温熱又は冷熱を蓄熱する蓄熱材３１と、蓄熱材３１が封入された容器３２と、容器３２内に設けられる熱伝導性の伝熱部材３３と、を有し、伝熱部材３３の一部は熱伝導可能に蓄熱材３１と接して伝熱部材３３の他の一部は容器３２の表面に露出し、伝熱部材３３と熱伝導可能に接続される熱交換接続部１５ａが第２熱交換器１５に形成される。
【００６３】
これにより、第２熱交換器１５は蓄熱体３とより効率よく熱交換を行うことができる。特に、第２熱交換器１５の熱交換接続部１５ａを伝熱部材３３に接続することにより、両者の熱交換可能な接触面の面積が増大する。従って、第２熱交換器１５の放温熱効果又は放冷熱効果の低下を抑制又は防止したり、放温熱効果又は放冷熱効果を上昇させたりすることができる。
【００６４】
また、空気調和機１００では、第１熱交換器１３は、冷媒が流れる冷媒管１６から成り、第１収納部６ａの上端部から側方に突出する突出部１３ａと、該突出部１３ａから下方に屈曲する屈曲部１３ｂと、を有する。
【００６５】
これにより、第１熱交換器１３を壁などに掛けておくことができる。たとえば、風呂の水を沸かすために、浴槽Ｂの縁（側壁）などに掛けておくこともできる。
【００６６】
また、空気調和機１００は、蓄熱体３に近接して配置される配管４０をさらに備え、筐体６に供給口６４及び排出口６５が形成され、配管４０の一端は供給口６４に接続され、他端は排出口６５に接続される。
【００６７】
これにより、たとえば水などの液体を供給口６４から流して配管４０内に流通させることができる。そのため、たとえば温熱又は冷熱を十分に蓄熱した蓄熱体３を冷却又は加温することができる。従って、蓄熱体３が温熱又は冷熱を蓄熱する効率の低下を抑制又は防止することができる。また、過度に温熱又は冷熱を蓄熱することによる蓄熱体３の劣化、破損などを抑制又は防止することもできる。さらに、配管４０内を流通する水を蓄熱体３と熱交換させることにより、排出口６５から温水又は冷水を得ることもできる。
【００６８】
また、空気調和機１００では、蓄熱体３は該蓄熱体３の温度を検出する温度検出部３４を有する。
【００６９】
これにより、温度検出部３４で蓄熱体３の温度を検出することができる。従って、たとえばユーザは蓄熱体３の温度を直接視認したり温度検出部３４の検出結果に基づく報知、警告などを受けたりすることができる。また、空気調和機１００が蓄熱体３の交換などをユーザに促すこともできる。従って、ユーザは分り難く煩わしい温熱又は冷熱の廃棄処理に関する情報を理解し易くなる。
【００７０】
また、空気調和機１００では、蓄熱体３はパラフィンを含む。
【００７１】
パラフィンは蓄熱密度が高く且つ繰り返し相転移しても劣化しない。そのため、蓄熱体３に蓄熱できる温熱又は冷熱の容量を大きくすることができる。従って、蓄熱体３が温熱又は冷熱を貯蔵する時間を比較的に長くすることができる。さらに、蓄熱体３の寿命も長くすることができる。
【００７２】
また、空気調和機１００では、蓄熱体３は断熱構造の収納室８１に収納される。
【００７３】
これにより、蓄熱体３に蓄熱された温熱又は冷熱が外部に放出され難くなる。従って、蓄熱体３が温熱又は冷熱を蓄熱する効率を高めることができる。
【００７４】
＜第２実施形態＞
次に、第２実施形態について説明する。図７は第２実施形態に係る空気調和機１００の外観斜視図である。また、図８は第２実施形態に係る空気調和機１００の上面図であり、図９は第２実施形態に係る空気調和機１００の正面図であり、図１０は第２実施形態に係る空気調和機１００の断面図である。なお、図１０は図８の一点鎖線Ａ−Ａに沿う断面を示す。
【００７５】
空気調和機１００はたとえば床面に敷設可能な横置き型の装置であり、熱交換した空気を床面に直接送出できる。通常、湿度の高い空気ほど下に溜まり易い。従って、空気調和機１００はたとえば室内の高い位置に設置されるエアーコンンディショナなどと比較してより高い除湿効果を得ることができる。
【００７６】
空気調和機１００の筐体６は第１収納部６ａ及び第２収納部６ｂとから成る。第１収納部６ａは室内の床面に敷設されて重量物が載置される扁平形状の載置部である。すなわち、第１収納部６ａは重量物を支持可能な構造を有し、その上面が側面よりも広く平べったい直方体形状をしている。従って、第１収納部６ａの上には、家具（たとえばソファーＳ、タンス、テレビ台、食器棚）、電化製品（たとえば冷蔵庫）などの様々な重量物を変更可能に載せることができる。このため、ユーザは空気調和機１００の設置場所をより自由に選択することができる。
【００７７】
第１収納部６ａの上面及び背面には吸気口６１が設けられ、その正面には吹出口６２と開閉可能な蓋部が取り付けられた着脱口６６とが形成される。なお、吸気口６１には第１開閉蓋（不図示）が取り付けられ、吹出口６２には第２開閉蓋（不図示）が取り付けられている。第１収納部６ａの内部には、蓄熱カートリッジ３が脱着可能に収納される断熱構造の第１収納室８１と、吸気口６１から吹出口６２に連通する送風通路６３とが設けられている。
【００７８】
第１収納室８１は第２熱交換器１５、蓄熱カートリッジ３、及び導水部４を収納し、その内壁（すなわち上壁、底壁、及び４つの側壁）に設けられる断熱材７によって断熱構造となっている。蓄熱カートリッジ３は第１収納部６ａの正面に形成される蓋付きの着脱口６６を介して脱着可能となっている。また、第１収納室８１に収納された蓄熱カートリッジ３は第２熱交換器１５の近傍に配置され、第２熱交換器１５と熱交換コネクタ１５ａを介して熱交換可能に接続される。また、蓄熱カートリッジ３の周囲には、導水部４を構成する配管４０が配置される。蓄熱カートリッジ３の温度が過度に上昇又は降下した場合には、配管４０に水を流すことにより、蓄熱カートリッジ３を冷却又は温めることによりその温度を調整することができる。また、蓄熱カートリッジ３に蓄えられた温熱又は冷熱を配管４０内の水に熱移動させることにより、温水又は冷水を得ることも可能である。
【００７９】
送風通路６３内には、第１熱交換器１３及びクロスフローファン２が配置されている。クロスフローファン２の回転駆動により吸気口６１から流入する空気は第１熱交換器１３で冷却又は加熱され、図１０に示すように送風通路６３を直線的に流通して吹出口６２から送出される。こうすれば、吹出口６２から送出される空気の送風距離をより長くすることができるので、室内をより効率よく冷房又は暖房することができる。
【００８０】
第２収納部６ｂは空気調和機１００の後端部の左方において第１収納部６ａの上面から立設される。そのため、第１収納部６ａの上面にソファーＳが載置されると、ソファーＳの左側に第２収納部６ｂが並ぶ。この第２収納部６ｂの内部には圧縮機１１、四方弁１２、膨張器１４、送水ポンプ５、及び電気回路（不図示）などが収納される第２収納室８２が設けられている。また、第２収納部６ｂの正面には給水口６４及び排水口６５が設けられている。
【００８１】
なお、第２実施形態に係る空気調和機１００の構成は図８〜図１０の例示に限定されない。図１１は第２実施形態に係る空気調和機１００の他の一例を示す外観斜視図である。図１２は第２実施形態に係る空気調和機１００の他の一例を示す断面図である。
【００８２】
図１１及び図１２では、第１収納部６ａの背面には吸気口６１が形成され、正面には吹出口６２が形成され、第１収納部６ａの内部には送風通路６３が形成される。送風通路６３にはクロスフローファン２が配置される。
【００８３】
また、第２収納部６ｂは第１収納部６ａの後端部から立設される立設部となっている。第２収納部６ｂの上面には開閉可能な蓋付きの着脱口６６が形成され、第２収納部６ｂの内部には第１収納室８１（図１２参照）及び第２収納室８２（図１１参照）が設けられている。第１収納室８１は図１２に示すように第２熱交換器１５、蓄熱カートリッジ３。及び導水部４を収納し、その内壁（すなわち上壁、底壁、及び４つの側壁）に設けられる断熱材７によって断熱構造となっている。なお、蓄熱カートリッジ３は第２収納部６ｂの上面に形成される着脱口６６を介して脱着可能となっている。また、第２収納室８２は図１１に示すように圧縮機１１、四方弁１２、膨張器１４、送水ポンプ５、及び電気回路（不図示）などを収納する。
【００８４】
このような構成にすると、第１収納部６ａの高さ（Ｚ方向の厚さ）を薄くできる。従って、床面とソファーＳとの間に空気調和機１００を設置しても、ソファーＳの座面があまり高くならないようにできる。また、第２収納部６ｂはソファーＳの背後に位置するように配置される。従って、正面から見て第２収納部６ｂがソファーＳの背もたれで隠れ易くなるため、室内の美観を損ない難くできる。
【００８５】
本実施形態によると、空気調和機１００では、筐体６は室内の床面に敷設されて重量物Ｓが載置される扁平形状の載置部６ａを有する。
【００８６】
これにより、床面に敷設される空気調和機１００に重量物Ｓ（たとえばソファーなどの家具）を載置することができる。従って、ユーザは空気調和機１００の設置場所をより自由に選択することができる。また、空気調和機１００は熱交換した気流（空気）を床面に直接送出できる。湿度の高い空気ほど下に溜まり易いので、たとえば室内の高い位置に設置されるエアーコンンディショナなどと比較してより高い除湿効果を得ることができる。
【００８７】
また、空気調和機１００において、載置部６ａの前面に蓄熱体３の着脱口６６が開口してもよい。これにより、載置部６ａの前面に開口された着脱口６６を介して蓄熱体３を着脱できるので、蓄熱体３の着脱作業がし易くなる。
【００８８】
或いは、空気調和機１００において、筐体６は載置部６ａの後端部から立設される立設部６ｂをさらに有し、立設部６ｂの上面に蓄熱体３の着脱口６６が開口してもよい。これにより、扁平形状の載置部６ａの厚さ（すなわち高さ）をより薄くすることができる。従って、載置部６ａに重量物Ｓを載置しても、重量物Ｓの位置（載置される高さ）があまり高くならないようにできる。
【００８９】
また、空気調和機１００では、吸気口６１が少なくとも載置部６ａの背面に開口するとともに吹出口６２が載置部６ａの前面に開口し、送風通路６３が載置部６ａ内に形成され、吸気口６１から流入して第１熱交換器１３と熱交換する気流が送風通路６３を直線的に流通して吹出口６２から送出される。
【００９０】
これにより、第１熱交換器１３と熱交換する気流（空気）は送風通路６３を直線的に流通して吹出口６２から送出されるので、吹出口６２から送出される気流の送風距離をより長くすることができる。従って、室内をより効率よく冷房又は暖房することができる。
【００９１】
＜第３実施形態＞
次に、第３実施形態について説明する。図１３は第３実施形態に係る空気調和機１００の外観斜視図である。また、図１４は第３実施形態に係る空気調和機１００の縦断面図である。
【００９２】
空気調和機１００はたとえば照明機器としても使用可能な円筒形状の縦置き型の装置であり、通常は置台９１上に置いた状態で使用される。空気調和機１００の筐体６は防水構造を有し、その底面には吸気口６１が設けられる。また、筐体６の側周面には、筐体６の上方に形成される吹出口６２と蓄熱カートリッジ３の着脱口６６と窓部６７と把持口６９とが形成されている。着脱口６６には開閉可能な上蓋が取り付けられている。着脱口６６よりも下方に形成される窓部６７には、開閉可能なスライドカバー６７ａが設けられる。着脱口６６よりも上方に形成される把持口６９は後述する通風管６８の周囲に形成される空間８４（以下では把持用空間８４と呼ぶ）と連通している。ユーザは把持口６９を通じて通風管６８を把持することができ、これにより空気調和機１００を自由に持ち運ぶことができる。
【００９３】
筐体６の内部には、送風通路６３と第１〜第３収納室８１〜８３と把持用空間８４と吸気室８５とが設けられている。送風通路６３は吸気口６１から吸気室８５及び鉛直上方に延びる通風管６８を通じて吹出口６２に連通する。すなわち、吸気室８５及び通風管６８の内部空間は送風通路６３に含まれる。また、送風通路６３にはファン２が配置されており、ファン２の回転駆動により吸気口６１から流入する空気は吸気室８５内で第１熱交換器１３で冷却又は加温された後に通風管６８を通じて吹出口６２から送出される。
【００９４】
第１収納室８１は吸気室８５の上方に形成され、第２収納室８２は第１収納室８１の上方に形成される。また、第１収納室８１、第２収納室８２、及び把持用空間８４はＺ方向から見て通風管６８の周囲を囲むように形成される。
【００９５】
第１収納室８１は第２熱交換器１５、蓄熱カートリッジ３、及び導水部４を収納する防水仕様の密閉空間であり、その内壁に設けられる断熱材７によって断熱構造となっている。蓄熱カートリッジ３は筐体６の側面に形成される蓋付きの着脱口６６を介して脱着可能となっている。また、蓄熱カートリッジ３は第２熱交換器１５の近傍に配置され、第２熱交換器１５と熱交換コネクタ１５ａを介して熱交換可能に接続される。また、蓄熱カートリッジ３の周囲には、導水部４を構成する配管４０が配置される。
【００９６】
第２収納室８２は圧縮機１１、四方弁１２、膨張器１４、及び送水ポンプ５などを収納する。
【００９７】
第３収納室８３は送風通路６３よりも上方に設けられ、電源回路及び制御回路などを含む様々な電気回路を収納する。電気回路には、たとえば圧縮機１１、送水ポンプ５、ファン２及び照明装置９２の各駆動回路などが含まれる。なお、第３収納室８３の上部には、照明装置９２が設けられる。
【００９８】
吸気室８５は筐体６の底部に形成される。吸気室８５には、第１熱交換器１３が配置されて吸気口６１から流入する空気と熱交換可能となっている。吸気室８５の上部において第１熱交換器１３に対して吸気口６１とは反対側には開閉可能な窓部６７が開口する。窓部６７のスライドカバー６７ａを開いた場合、この吸気室８５は窓部６７を介して筐体６の外部と連通する。また、筐体６の底部において吸気口６１の周端部には切り欠き部６１ａが形成されている。そのため、空気調和機１００が置台９１上に置かれていても、図１４に示すように外部の空気を吸気室８５に流入させることができる。
【００９９】
置台９１は筐体６の下部の収容する収容空間９１ａを有している。また、収容空間９１ａの内側面には、吸気口６１の周端部を載置できる段部が形成されている。このような構造により、吸気口６１では所定量の空気が吸気可能となる。また、置台９１の収容空間９１ａはドレイン水を貯蔵する貯蔵部としても機能している。
【０１００】
また、空気調和機１００は置台９１から取り外して使用することも可能である。図１５は第３実施形態に係る空気調和機１００の応用例を示す図である。たとえば、図１５のように、置台９１から取り外した空気調和機１００を浴槽Ｂの底に載置した状態で水温を上昇させたり調整したりすることができる。なお、この際に第２熱交換器１５で熱交換される温熱又は冷熱は蓄熱カートリッジ３に蓄熱されて他所で利用することができる。
【０１０１】
たとえば図１５の状態で浴槽Ｂ内の水を沸かす場合、窓部６７のスライドカバー６７ａを開けて吸気室８５を外部に連通させる。この状態でファン２の駆動を停止して空気調和機１００を暖房運転すると、圧縮機１１により圧縮された高温の冷媒は第１熱交換器１３での熱交換により放熱して水温を上げることができる。また、吸気室８５内で加温された水は熱対流により、窓部６７を介して装置外部に流出する。そのため、吸気室８５には加温されていない水が外部から流入する。こうすれば、自然な熱対流により攪拌部材を新たに設けることなく、浴槽Ｂの水をより均一に加温することができる。
【０１０２】
ここで、図１５の場合、浴槽Ｂ内の水が把持口６９を通じて把持用空間８４に流入しないようにするため、浴槽Ｂの水位は吸気口６１から把持口６９の下端までの最短距離Ｈよりも低いことが好ましい。たとえば最短距離Ｈ＝７０［ｃｍ］であれば、浴槽Ｂの水位はこの距離Ｈ未満とすればよい。
【０１０３】
本実施形態によると、空気調和機１００では、筐体６の底部に形成されるとともに第１熱交換器１３が配される吸気室８５と、吸気室８５の上方に形成されて断熱材７により覆われた密閉空間から成るとともに第２熱交換器１５及び蓄熱体３が配される第１収納室８１と、第１収納室８１の上方に形成されて圧縮機１１が配される第２収納室８２と、を有し、第２収納室８２の上方にて筐体６に吹出口６２が開口し、送風通路６３が第１収納室８１を貫通して形成され、吸気室８５の下部に吸気口６１が開口し、吸気室８５の上部において第１熱交換器１３に対して吸気口６１とは反対側に開閉可能な窓部６７が開口する。
【０１０４】
これにより、空気調和機１００の下部にて吸気口６１から吸気した空気を第１熱交換器１３で熱交換して空気調和機１００の上部の吹出口６２から送出することができる。従って、第１熱交換器１３で熱交換する空気の高さ方向での循環も良くなるため、室内をより効率よく冷房又は暖房することができる。また、窓部６７を開けた状態で冷房運転又は暖房運転すれば、吸気口６１及び窓部６７間で自然な熱対流を発生させることができる。従って、たとえば筐体６の下部を水中に浸けて冷房運転又は暖房運転すると、第１熱交換器１３と熱交換する水が熱対流によって自然に流れる。従って、送風機２の駆動及び水を攪拌する部材を要することなく、効率よく水温を調節することができる。
【０１０５】
上記の空気調和機において、送風機２を停止させた状態で空気調和機１００を運転する場合、第１熱交換器１３と熱交換する流体が自然対流により筐体６の外部に流出する。
【０１０６】
これにより、第１熱交換器１３と熱交換する流体は自然対流（たとえば熱対流）により、筐体外部に流出する。そのため、吸気室８５には加温されていない水が外部から流入する。こうすれば、流体を攪拌する部材を新たに設けることなく、自然対流（たとえば熱対流）により流体の加温、冷却、又は温度調節などをより均一に行うことができる。
【０１０７】
以上、本発明の実施形態を説明したが、本発明の範囲はこれらに限定されるものではなく、発明の主旨を逸脱しない範囲で種々の変更を加えて実施することができる。また、各実施形態の少なくとも２つが適宜組み合わされて実施されてもよい。
【０１０８】
たとえば、上述の実施形態での例示に限定されず、蓄熱カートリッジ３は温熱及び冷熱のうちの少なくとも一方を蓄熱可能であればよい。また、温熱又は冷熱の蓄熱に適する温度範囲が異なる複数種類の蓄熱カートリッジ３が用いられていてもよい。
【０１０９】
また、上述の実施形態では空気調和機１００は送水ポンプ５を備えているが、本発明はこの例示に限定されない。空気調和機１００は送水ポンプ５を備えていなくてもよい。この場合、給水口６４にはたとえば水道水を供給又は外部装置から送水すればよい。
【符号の説明】
【０１１０】
１００  空気調和機
１      熱交換サイクル（冷媒循環回路）
１１      圧縮機
１２      四方弁（切替装置）
１３      第１熱交換器
１３ａ      突出部
１３ｂ      屈曲部
１４      膨張器
１５      第２熱交換器
１５ａ      熱交換コネクタ
１６      冷媒管
２      ファン、クロスフローファン（送風機）
３      蓄熱カートリッジ（蓄熱体）
３１      蓄熱材
３２      密閉容器
３３、３３ａ、３３ｂ      伝熱部材
３３ｃ      凹部
３４      温度センサ
４      導水部
４０      配管
５      送水ポンプ
６      筐体
６ａ      第１収納部
６ｂ      第２収納部
６１      吸気口
６１ａ      切り欠き部
６２      吹出口
６３      送風通路
６４      給水口
６５      排水口
６６      着脱口
６７      窓部
６７ａ      スライドカバー
６８      通風管
６９      把持口
７      断熱材
８１    第１収納室
８２    第２収納室
８３    第３収納室
８４    把持用空間
８５    吸気空間
９１    置台
９１ａ    収容空間
９２    照明部
【図１】
2016075414.tif 000003
【図２】
2016075414.tif 000004
【図３】
2016075414.tif 000005
【図４】
2016075414.tif 000006
【図５】
2016075414.tif 000007
【図６】
2016075414.tif 000008
【図７】
2016075414.tif 000009
【図８】
2016075414.tif 000010
【図９】
2016075414.tif 000011
【図１０】
2016075414.tif 000012
【図１１】
2016075414.tif 000013
【図１２】
2016075414.tif 000014
【図１３】
2016075414.tif 000015
【図１４】
2016075414.tif 000016
【図１５】
2016075414.tif 000017